(57)【要約】      （修正有）【課題】申込み用紙の挟入用として形成するクリアファイルに記入を助ける記入案内と、記入も漏れ、記入間違いの有無を即座に確認することができる機能を付して利用を拡大するクリアファイルを提供する。【解決手段】クリアファイルの背面に保険契約、クレジット契約などのいずれかの申込みに必要な申込み用紙と同様の各記入枠と該各記入枠内に記入すべき記入見本を書き入れた申込み用紙のひな形を形成し、且つ該クリアファイルの表面に該ひな形の各記入枠のみを透視する同数の透明枠を形成して他を不透面とし、該ひな形を参考にして記入枠内に必要事項を記入し得るようにするとともに、記入を終えた申込み用紙を該クリアファイル内に挟入して各透明枠より各記入枠内の記入内容を透視し他を不透面にて隠すことにより該記入枠内の記入漏れ、記入間違いの有無を即座に確認することができるようにした。【選択図】図１
0003164616.tif 000002
【実用新案登録請求の範囲】
【請求項１】
クリアファイルの背面に保険契約，クレジット契約などのいずれかの申込み用紙と同様の各記入枠と該各記入枠内に記入すべき記入見本を書き入れた申込み用紙のひな形を形成し、且つ該クリアファイルの表面に該ひな形の各記入枠のみを透視する同数の透明枠を形成して他を不透面とし、該ひな形の記入見本を参考にして各記入枠内に必要事項を記入し得るようにするとともに、記入を終えた申込み用紙を該クリアファイル内に挟入して各透明枠より各記入枠内の記入内容を透視し他を不透面にて隠すことにより該記入枠内の記入漏れ，記入間違いの有無を即座に確認することができるようにしたことを特徴とする申込み用紙挟入用のクリアファイル。
【考案の詳細な説明】
【技術分野】
【０００１】
この考案は保険契約，クレジット契約などの申込み用紙の挟入用として形成するクリアファイルに記入を助ける記入案内と、記入漏れ，記入間違いの有無を即座に確認することができる機能を付してクリアファイルの利用を拡大するようにした考案に関するものである。
【背景技術】
【０００２】
従来、クリアファイルは主に紙片を出し入れ自在に挟入し保持することで利用されてきている。
【特許文献１】実用新案登録第３０７０３９０号公報
【考案の開示】
【考案が解決しようとする課題】
【０００３】
しかして、保険契約，クレジット契約などの申込みに必要ないずれかの申込み用紙の挟入用として形成するクリアファイルに高齢者も誤りなく容易に記入することができる記入案内と、また記入を終えた申込み用紙の記入漏れ、記入間違いの有無を即座に確認することができる機能を有せしめることで、クリアファイルの利用を格段に拡大することにある。
【０００４】
保険契約の申込みに例をとってみても申込み用紙には小さな文字にて紙面一杯に色々なことが書かれていて、そのところどころに大小する本人記入枠があり、びっしり書かれている文字によってこれらの記入枠の一部を見落としたり、また何を記入すべきかわからないこともできて、申込み用紙の各記入枠内の記入には時間を要してなお、記入漏れ，記入間違いがしばしば生じ、特に高齢者にこの傾向が強く表れているという課題があった。
【課題を解決するための手段】
【０００５】
本考案は、出願人が提案した実用新案登録第３１４６２１８号の背面印刷の技術を利用して、申込み用紙挟入用として形成するクリアファイルの背面に申込み用紙と同じ各記入枠と各記入枠内に記入見本を書き入れた申込み用紙のひな形を形成し、且つ該クリアファイルの表面に背面のひな形の各記入枠のみを透視する同数の透明枠を形成し、他を不透面にしてかくして、該背面のひな形、特に記入見本を参考にして各記入枠内に必要事項を記入することができるようにして、記入を助けて記入間違い，記入漏れが生じないようにし、さらに記入を終えた申込み用紙を該クリアファイル内に挟入して各記入枠を表面の透明枠に重合すると、各透明枠より各記入枠内の記入内容が透視されて他は不透面にて隠れることで、記入漏れ，記入間違いの有無を即座に確認することができるようにしたのである。このようにしてクリアファイルに申込み用紙の各記入枠内の記入を容易にすることと、記入を終えた申込み用紙の記入漏れ，記入間違いの有無を即座に確認する機能を付すことでクリアファイルはその利用が一段と拡大して、前記した課題を一挙に解決することとなる。
【考案の効果】
【０００６】
本考案はクリアファイルに背面印刷を用いて各記入枠と、各記入枠内に記入すべき記入見本を書き入れた申込み用紙のひな形を有せしめたので、ひな形、特に記入見本を見ることで各記入枠内の記入がきわめて容易となり、従って記入間違い，記入漏れが解消し、また著しく少なくなるという効果を生ずる。
【０００７】
記入を終えた申込み用紙を本考案のクリアファイルに挟入すると、各記入枠内の記入内容が重合する表面の透明枠から透視されることで即座に記入漏れ，記入間違いなどの有無を確認することができるという効果を生ずる。
【０００８】
本考案のクリアファイルは記入を終えた申込み用紙の記入漏れ，記入間違いを即座に確認し得ることで、記入を終えた申込み用紙を受理する側の記入確認事務が大きく軽減するという効果を生ずる。
【０００９】
高齢者，病弱者もまよわずに容易に記入することができて、記入間違い，記入漏れが少なくなるという効果を生ずる。
【図面の簡単な説明】
【００１０】
【図１】第１実施例で、本考案のクリアファイルの斜視図
【図２】同、背面の申込み用紙のひな形を見せる正面図
【図３】記入を終えた申込み用紙をクリアファイル内に挟入した状態を示す正面図
【図４】Ａ４縦型タイプの申込み用紙とクリアファイルを各別に示す正面図
【符号の説明】
【００１１】
１ａは折り縁
１ｂはウェルダー接着縁
２ａ，２ｂは開閉する他縁
３は表面
４は背面
５はクリアファイル
６，３ａは申込み用紙のひな形
７は記入枠
８は記入見本
９は透明枠
９ａは色線
１０は不透面
１１は文字ガイド
１２は引出し線
１３は商品等の確認用の透明枠
Ａは申込み用紙
Ｂは縦型の申込み用紙
【考案を実施するための最良の形態】
【００１２】
本考案は、保険契約，クレジット契約，ローン契約などのいずれかの申込みに当って必要な申込み用紙を挟入するクリアファイルの背面に実用新案登録第３１４６２１８号の背面印刷を用いて該申込み用紙と同じ内容である各記入枠と該各記入枠内に記入すべき記入見本を書き入れた申込み用紙のひな形を形成し、該クリアファイルの表面に該ひな形の各記入枠内のみを透視する透明枠を形成し、他を不透面にして申込み用紙挟入用のクリアファイルを形成し、該ひな形、特に記入見本を参考にして別途用意する申込み用紙の各記入枠内に必要事項を記入することで記入間違い，記入漏れを解消するようにし、また記入を終えた申込み用紙を該クリアファイル内に挟入して各記入枠を各透明枠に重合すると、各透明枠より各記入枠内の記入内容が透視されて他は不透面にて隠れるから、記入漏れ，記入間違いなどの有無を即座に確認することができるようになる。
【実施例１】
【００１３】
図１はショッピングクレジット申込み用紙の挟入用として形成したクリアファイルの１例を示す第１実施例であって、下端の折り縁１ａと左端のウェルダー接着縁１ｂをもとに他縁２ａ，２ｂを開き可能に合わせ閉じした表面３と背面４とからなるＡ４版用紙の横入れタイプのクリアファイル５とし、該クリアファイル５の背面４の内側に本願の考案者が考案した背面印刷を用いてショッピングクレジットの申込み用紙Ａと同じ形，同じ内容のひな形６を形成する。該申込み用紙のひな形６は申込み者の氏名，住所，電話番号，捺印箇所，勤務先，引き落とし口座名などの各記入枠７と、各記入枠７内に何を記載すべきかを示した記入見本８をそれぞれの枠内に形成する。
【００１４】
クリアファイル５の表面３に各記入枠７のみが透視される同数の透明枠９を形成し、透明枠９以外の部分を不透面１０とする。透明枠９は赤などの際立つ色線９ａにて囲んで目立つようする。さらに不透面１０に各記入枠７への記入の仕方、すなわち“引き落とし口座名を記入して下さい。”などと説明した文字ガイド１１を矢印または引出し線１２付きにて形成する。なお１３は販売店が記載する商品，価格，支払条件，販売店名などを確認する透明枠である。
【００１５】
申込者はこのクリアファイル５の表面から申込み用紙のひな形６、特に記入見本８を透視することで、記入見本８を参考にして申込み用紙Ａの各記入枠７のそれぞれに必要事項を記入することができることとなる。クリアファイル５の表面３から各記入枠７，記入見本８のほか文字ガイド１１が見えてその他びっしり書かれている一切の文字は不透面１０にて隠されるから、申込み用紙Ａの各記入枠７は記入見本８に従ってまよわずに正しく記入することができることとなる。特に高齢者，病弱者などの記入を大きく助けることとなり、従って、記入漏れ，記入間違いは解消し、著しく少なくなる。
【００１６】
記入を終えた申込み用紙Ａを本考案のクリアファイル５に挟み入れて各記入枠７を透明枠９に一致させると各記入枠７に記入した記入内容が表面３の各透明枠９より透視されることで、各記入枠７内の記入漏れ，記入間違いの有無を即座に確認することができることとなる。かくて記入を終えた申込み用紙Ａを受理する側の記入確認事務も著しく軽減されることとなる。
【実施例２】
【００１７】
図２はＡ４版用紙の縦入れタイプのクリアファイルの１例を示す第２実施例であって、クリアファイル５の背面４にＡ４縦型の申込み用紙Ｂと同じ内容のひな形６ａの各記入枠７に記入見本８を入れて形成し、表面３に背面の申込み用紙のひな形６ａの各記入枠７が重合する同数の透明枠９を設けたほかは前例と同じである。
【００１８】
本考案のクリアファイル５は前記したショッピングクレジットの申込み用紙Ａの挟入用のほか、生命保険，損害保険の契約用の申込み用紙，クレジットカード申請のための申込み用紙，ローンの申込み用紙など各種の申込み用紙の挟入用としてそれぞれに対応するように各別に形成し、大きさもそれぞれの申込み用紙に合わせてＢ５版からＡ３版用紙の縦入れまたは横入れタイプにて形成するのである。また実施例のクリアファイルは折り縁とウェルダー接着縁による２辺綴じタイプにて説明したが、長辺または短辺の１辺綴じタイプとすることもある。
【産業上の利用可能性】
【００１９】
本考案のクリアファイルは表面より記入見本と記入案内の文字ガイドのみが見えることで、申込み用紙の各記入枠内の記入がしやすくなるとともに、記入し終えた申込み用紙をクリアファイルに挟入すると、記入内容が表面から透視し得て記入内容を即座に確認することができることで、申込み用紙を挟入するクリアファイルの利用は一段と拡大することになる可能性がある。
【図１】
0003164616.tif 000003
【図２】
0003164616.tif 000004
【図３】
0003164616.tif 000005
【図４】
0003164616.tif 000006